(57)【特許請求の範囲】
【請求項１】
定着回転体を、その回転軸方向に沿って配された励磁コイルにより誘導加熱し、当該定着回転体の周面と加圧部材との間に形成された定着ニップに記録シートを通紙して、未定着画像を定着する定着装置であって、
前記励磁コイルの前記定着回転体の非通紙領域に対応する領域に沿って配設され、サイズの異なる複数のコイルからなる消磁コイルユニットを２段以上重ねてなる消磁コイルユニット群と、
通紙される記録シートの幅に関する情報を含むシート情報を取得するシート情報取得手段と、
前記シート情報取得手段により取得した記録シートの幅に応じて、前記複数の消磁コイルの動作を制御する動作制御手段と、を備え、
各段の消磁コイルユニットは、複数の消磁コイルが、前記励磁コイルのコイル面に沿った同一の面内において、一のサイズの消磁コイルが、より大きなサイズの消磁コイルに囲繞されるような形で巻回されてなると共に、
各消磁コイルユニットの消磁コイルのサイズの組み合わせが異なっている
ことを特徴とする定着装置。
【請求項２】
前記各段の消磁コイルユニットの、全ての消磁コイルのサイズが互いに異なっている
ことを特徴とする請求項１に記載の定着装置。
【請求項３】
前記２段以上の消磁コイルユニットに、サイズの異なる消磁コイルが大きい順に割り振られるようにして、各消磁コイルユニットの消磁コイルの組み合わせが決定されている
ことを特徴とする請求項２に記載の定着装置。
【請求項４】
前記動作制御手段は、定着動作中、
前記シート情報取得手段により取得したシート幅の記録シートの非通紙領域に対応するサイズの消磁コイルを動作させると共に、
当該動作させた消磁コイルが２段目以上の消磁コイルユニットに含まれるものである場合には、それよりも下層の消磁コイルユニットの消磁コイルであって、前記動作させた消磁コイルよりもサイズが小さいもののうち一番大きなサイズの消磁コイルをさらに動作させる
ことを特徴とする請求項１から３のいずれか１項に記載の定着装置。
【請求項５】
前記定着回転体の、少なくとも最大非通紙領域の回転軸方向における表面温度分布に関する情報を取得する温度分布取得手段を備え、
前記動作制御手段が、前記シート情報取得手段により取得した記録シートの幅に加え、前記温度分布取得手段による取得結果に応じて、前記各消磁コイルユニットの消磁コイルの動作を制御する
ことを特徴とする請求項１から４のいずれか１項に記載の定着装置。
【請求項６】
前記温度分布取得手段は、定着回転体の中央部における表面温度を検出する第１の温度検出手段と、回転軸方向端部における表面温度を検出する第２の温度検出手段を有し、
前記第１と第２の温度検出手段による検出結果と、通紙する記録シートのシート幅に関する情報に基づき、前記表面温度分布に関する情報を取得する
ことを特徴とする請求項５に記載の定着装置。
【請求項７】
前記シート情報取得手段は、シート情報として、シート幅に関する情報に加えて記録シートの紙種に関する情報を取得し、
前記温度分布取得手段は、前記第１と第２の温度検出手段による検出結果と、通紙する記録シートのシート幅と前記記録シートの紙種に基づき、前記表面温度分布に関する情報を取得する
ことを特徴とする請求項６に記載の定着装置。
【請求項８】
請求項１から７のいずれか１項に記載の定着装置を備えたことを特徴とする画像形成装置。
【発明の詳細な説明】
【技術分野】
【０００１】
本発明は、定着装置および画像形成装置に関し、特に、電磁誘導加熱方式を用いた定着装置およびこれを用いた画像形成装置に関する。
【背景技術】
【０００２】
近年、画像形成装置の分野において、省エネルギー化の要請が高まっており、高いエネルギー効率を有する電磁誘導加熱方式の定着装置が注目されている。
電磁誘導加熱方式の定着装置は、定着ローラーや定着ベルト（以下、「定着回転体」と総称する。）、励磁コイル、消磁コイルなどからなる。励磁コイルは、定着回転体の軸方向に沿って配され、交流電流の通電により交番磁界を発生させて定着回転体を誘導加熱する。誘導加熱された定着回転体が、通紙された記録シートのトナー像を熱定着する。
【０００３】
消磁コイルは、定着回転体の記録シートが通紙されない非通紙領域に配されており、その巻線の両端部を接続して閉ループを形成することにより、励磁コイルで発生した磁束のうち消磁コイルを通過しようとする磁束を打ち消す方向の磁束を発生させ消磁して、非通紙領域における定着回転体の温度上昇を抑制する。これにより定着回転体やその他の周辺部材の熱劣化を防止するように構成されている。
【０００４】
複数サイズの記録シートを使用する場合には、このような消磁コイルを複数備えることにより、各サイズの記録シートを通紙したときの非通紙領域の大きさに応じて消磁できるようにし、非通紙領域における温度上昇を抑制する技術が以下に開示されている。
例えば、特許文献１には、サイズの異なる複数の消磁コイルを、励磁コイル上に大きい順に重ねた構成の定着装置が開示されている（第１の従来技術）。
【０００５】
また、特許文献２には、サイズの異なる複数の消磁コイルを備え、励磁コイルのコイル面に沿った同一の面内において、一のサイズの消磁コイルがより大きなサイズの消磁コイルにより囲繞されるように構成された定着装置が開示されている（第２の従来技術）。この第２の従来技術は、第１の従来技術のようにサイズの異なる消磁コイルを励磁コイル上に積み重ねるのではなく、励磁コイルのコイル面に沿って、外側に拡がるように配設される点で相違する。
【先行技術文献】
【特許文献】
【０００６】
【特許文献１】特開２００９−１４５４２１号公報
【特許文献２】特開２０１０−１９７９４７号公報
【発明の概要】
【発明が解決しようとする課題】
【０００７】
しかしながら、上記従来の定着装置において、より多様なサイズの記録シートに対応させるために消磁コイルを増設する場合に、次のような問題が生じる。
第１の従来技術に係る定着装置では、励磁コイル上に、さらに消磁コイルを積み重ねることになるので、定着回転体の径方向に装置が大型化するという問題がある。また、重ねる消磁コイルの数が増えると、上方の消磁コイルは励磁コイルからより離れるため、その分だけ消磁効率が低くなる。このため、上方の消磁コイルが対応する記録シートを大量に連続通紙すると、非通紙領域の過昇温を抑制し切れず、定着回転体などが熱劣化するおそれもある。
【０００８】
また、第２の従来技術に係る定着装置では、囲繞する消磁コイルを増やすことになるので、最外側の消磁コイルの幅が、定着回転体の周方向に大きく広がり、これによっても装置が大型化するという問題がある。
本発明は、多様なサイズの記録シートに対応するため消磁コイルを増設する場合に、従来よりも装置の大型化を招くことなく、非通紙領域における過昇温を効果的に抑制することができる定着装置およびこれを用いた画像形成装置を提供することを目的とする。
【課題を解決するための手段】
【０００９】
上記目的を達成するため、本発明に係る定着装置は、定着回転体を、その回転軸方向に沿って配された励磁コイルにより誘導加熱し、当該定着回転体の周面と加圧部材との間に形成された定着ニップに記録シートを通紙して、未定着画像を定着するものであって、前記励磁コイルの前記定着回転体の非通紙領域に対応する領域に沿って配設され、サイズの異なる複数のコイルからなる消磁コイルユニットを２段以上重ねてなる消磁コイルユニット群と、通紙される記録シートの幅に関する情報を含むシート情報を取得するシート情報取得手段と、前記シート情報取得手段により取得した記録シートの幅に応じて、前記複数の消磁コイルの動作を制御する動作制御手段と、を備え、各段の消磁コイルユニットは、複数の消磁コイルが、前記励磁コイルのコイル面に沿った同一の面内において、一のサイズの消磁コイルが、より大きなサイズの消磁コイルに囲繞されるような形で巻回されてなると共に、各消磁コイルユニットの消磁コイルのサイズの組み合わせが異なっていることを特徴とする。
【発明の効果】
【００１０】
上記構成の定着装置によれば、各消磁コイルユニットが、複数の消磁コイルを、励磁コイルのコイル面に沿った同一の面内において、一のサイズの消磁コイルが、より大きなサイズの消磁コイルに囲繞されるような形で形成されており、かつ、それが２段以上重ねられているので、第１の従来技術のようにサイズの異なる消磁コイルを単に積み重ねる場合に比べて格段にその段数を少なくすることができ、特定の消磁コイルが励磁コイルから極端に離れるようなことがなくなる。これにより一定の消磁効率を確保できると共に、より少ない段数で多用なサイズに対応でき、装置の小型化が図れる。
【００１１】
また、二段以上重ねるので、一段の消磁コイルユニット内で適用するサイズをそれほど増やす必要もなく、囲繞する消磁コイルの幅が定着回転体の周方向に拡大して装置が大型化するような事態も防止できる。
したがって、従来に比べて装置の大型化を招くことなく、多様なサイズの記録シートに対応した非通紙領域における過昇温を効果的に抑制することができる。
【００１２】
ここで、各段の消磁コイルユニットの、全ての消磁コイルのサイズが互いに異なっているのが望ましい。より望ましくは、２段以上の消磁コイルユニットに、サイズの異なる消磁コイルが大きい順に割り振られるようにして、各消磁コイルユニットの消磁コイルの組み合わせが決定されている構成である。
ここで、動作制御手段は、定着動作中、シート情報取得手段により取得したシート幅の記録シートの非通紙領域に対応するサイズの消磁コイルを動作させると共に、当該動作させた消磁コイルが２段目以上の消磁コイルユニットに含まれるものである場合には、それよりも下層の消磁コイルユニットの消磁コイルであって、動作させた消磁コイルよりもサイズが小さいもののうち一番大きなサイズの消磁コイルをさらに動作させるのが望ましい。
【００１３】
また、定着回転体の、少なくとも最大非通紙領域の回転軸方向における表面温度分布に関する情報を取得する温度分布取得手段を備え、動作制御手段が、シート情報取得手段により取得した記録シートの幅に加え、温度分布取得手段による取得結果に応じて、各消磁コイルユニットの消磁コイルの動作を制御するのが望ましい。
ここで、温度分布取得手段は、定着回転体の中央部における表面温度を検出する第１の温度検出手段と、回転軸方向端部における表面温度を検出する第２の温度検出手段を有し、第１と第２の温度検出手段による検出結果と、通紙する記録シートのシート幅に関する情報に基づき、表面温度分布に関する情報を取得するのが望ましい。
【００１４】
また、シート情報取得手段は、シート情報として、シート幅に関する情報に加えて記録シートの紙種に関する情報を取得し、温度分布取得手段は、第１と第２の温度検出手段による検出結果と、通紙する記録シートのシート幅と記録シートの紙種に基づき、表面温度分布に関する情報を取得するのが望ましい。
また、本発明は、上記構成の定着装置を備えた画像形成装置であってもよく、これにより上記構成の定着装置と同様の効果を得ることができる。
【図面の簡単な説明】
【００１５】
【図１】本発明の実施の形態に係るプリンターの構成を示す概略図である。
【図２】上記プリンターにおける定着部の主要部の構成を示す断面図である。
【図３】定着ベルトの部分断面図である。
【図４】励磁コイル、メインおよびサブ消磁コイルユニットなどの位置関係を示す外観斜視図である。
【図５】図４の励磁コイル、メインおよびサブ消磁コイルユニットを分離して示す平面図である。
【図６】励磁回路および消磁回路の構成例を示す図である。
【図７】各消磁コイルの動作の制御例を説明するための図であり、（ａ）は、メイン消磁コイルユニットが対応するシート幅の記録シートＰが通紙されたときの制御例であり、（ｂ）は、サブ消磁コイルユニットが対応するシート幅の記録シートＰが通紙されたときの制御例であり、（ｃ），（ｄ）は、メインおよびサブ消磁コイルユニットが対応していないシート幅の記録シートＰが通紙されたときの制御例である。
【図８】通紙されるシート幅と消磁コイルの動作との関係を示すテーブルである。
【図９】制御部で実行される消磁コイルの動作制御の内容を示すフローチャートである。
【図１０】非対応のシート幅のときの基本制御のサブルーチンを示すフローチャートである。
【図１１】非対応のシート幅のときの補助制御のサブルーチンを示すフローチャートである。
【図１２】定着ベルトの表面温度分布の一例を示す図である。
【発明を実施するための形態】
【００１６】
＜第１の実施の形態＞
以下、本発明に係る画像形成装置の第１の実施の形態について、タンデム型カラープリンター（以下、単に「プリンター」という）を例にして図面に基づき説明する。
＜プリンターの全体構成＞
図１は、本実施の形態に係るプリンター１の構成を示す概略図である。
【００１７】
同図に示すように、プリンター１は、画像プロセス部３、給紙部４、定着部５および制御部６０を備えている。このプリンター１は、ネットワーク（例えばＬＡＮ）に接続されていて、外部の端末装置（不図示）からの印刷ジョブの実行指示を受付けると、その指示に基づいてイエロー、マゼンダ、シアンおよびブラックの各色のトナー像を形成し、これらを多重転写してカラーの画像を形成した後、記録シートへの印刷処理を実行する構成を有している。
【００１８】
以下、イエロー、マゼンダ、シアン、ブラックの各再現色をＹ，Ｍ，Ｃ，Ｋと表し、各再現色に関連する構成部分の番号にこのＹ，Ｍ，Ｃ，Ｋを添字として付加する。
画像プロセス部３は、Ｙ〜Ｋ色のそれぞれに対応する作像部３Ｙ，３Ｍ，３Ｃ，３Ｋ、光学部１０、中間転写ベルト１１などを備えている。
作像部３Ｙは、感光体ドラム３１Ｙ、その周囲に配設された帯電器３２Ｙ、現像器３３Ｙ、一次転写ローラー３４Ｙ、感光体ドラム３１Ｙを清掃するためのクリーナー３５Ｙなどを備えており、感光体ドラム３１Ｙ上にＹ色のトナー像を作像する。他の作像部３Ｍ〜３Ｋも、作像部３Ｙと同様の構成になっており、同図では符号を省略している。
【００１９】
中間転写ベルト１１は、無端状のベルトであり、駆動ローラー１２と従動ローラー１３に張架されて矢印Ａ方向に循環走行される。
光学部１０は、レーザーダイオードなどの発光素子を備え、制御部６０からの駆動信号によりＹ〜Ｋ色の画像形成のためのレーザー光Ｌを発し、感光体ドラム３１Ｙ〜３１Ｋを露光走査する。
【００２０】
この露光走査により、帯電器３２Ｙ〜３２Ｋにより帯電された感光体ドラム３１Ｙ〜３１Ｋ上に静電潜像が形成される。各静電潜像は現像器３３Ｙ〜３３Ｋにより現像されて、感光体ドラム３１Ｙ〜３１Ｋ上にＹ〜Ｋ色のトナー像が作像される。
作像された各トナー像は、一次転写ローラー３４Ｙ〜３４Ｋに印加された電圧による静電力により中間転写ベルト１１上に一次転写される。この際、各色のトナー像が、走行する中間転写ベルト１１の同じ位置に重ね合わせて転写されるように、作像部３Ｙ，３Ｍ，３Ｃ，３Ｋにおける作像動作が、中間転写ベルト１１の走行方向上流側から下流側に向けてタイミングをずらして実行される。
【００２１】
給紙部４は、記録シートＰを収容する給紙カセット４１と給紙カセット４１内の記録シートＰを搬送路４３上に一枚ずつ繰り出す繰り出しローラー４２と、繰り出された記録シートＰを二次転写位置４６に送り出すタイミングをとるためのタイミングローラー対４４などを備えている。
中間転写ベルト１１上のトナー像は、二次転写位置４６において二次転写ローラー４５に印加された電圧による静電力により、給紙部４より送り出された記録シートＳ上に一括して二次転写される。
【００２２】
上記二次転写により、トナー像（未定着画像）が形成された記録シートＰは、さらに定着部５に搬送される。定着部５において、記録シートＰ上のトナー像が加熱・加圧されて熱定着される。その後、記録シートＰは、排出ローラー対７１により排出トレイ７２上に排出される。
制御部６０は、これら画像プロセス部３、給紙部４および定着部５の動作を制御するものである。
＜定着部の構成＞
次に、定着部５の構成について説明する。
【００２３】
図２は、定着部５の主要部の構成を示す断面図である。
当該定着部５は、電磁誘導加熱方式によるものであり、定着回転体である定着ベルト５１と、定着ローラー５２と、加圧ローラー５３と、温度センサー５４，５５（図５参照）と、磁束発生部５８などを備える。
定着ローラー５２は、定着ベルト５１の内側に遊挿され、加圧ローラー５３と平行に配設されている。加圧ローラー５３は、不図示の加圧機構により定着ベルト５１を介して定着ローラー５２に押圧されている。これにより、定着ベルト５１と加圧ローラー５３との間に、記録シートＰを通紙する定着ニップ部Ｎが形成されている。
【００２４】
また、加圧ローラー５３は、モーター（不図示）を動力源とし、歯車ギアやベルトなどの動力伝達機構を介して回転駆動される。定着ベルト５１および定着ローラー５２は、加圧ローラー５３の回転に従動して回転駆動され、互いに連動している。加圧ローラー５３が矢印Ｃ方向に、定着ベルト５１、定着ローラー５２が矢印Ｂ方向にそれぞれ回転する。
以下、定着部５における個々の構成要素について詳しく説明する。
【００２５】
（定着ベルト、定着ローラー、加圧ローラー）
定着ベルト５１は、図３の部分断面図に示すように、内周側（紙面下側）から金属発熱層５１１、弾性層５１２、離型層５１３の順に積層されてなる。金属発熱層５１１は、例えば、Ｎｉ，ＳＵＳ，Ｆｅ等の磁性材料からなる。弾性層５１２は、耐熱性、弾性および絶縁性を有するゴム材や樹脂材、例えばシリコーンゴムからなる。離型層５１３は、定着後の記録シートＰとの離型性を高めるための層であり、耐熱性を有し、離型性に優れた絶縁樹脂からなる。当該絶縁樹脂として、例えば、ＰＦＡ（四フッ化エチレン・パーフルオロアルコキシエチレン共重合体）等のフッ素樹脂を使用することができる。
【００２６】
定着ベルト５１の幅寸法は、記録シートＰの最大通紙幅（例えばＡ３縦通し）よりも大きい寸法に設定されている。
図２に戻って、定着ローラー５２は、長尺で円柱状の芯金５２１の周囲に断熱層５２２が形成されてなる。芯金５２１は、例えば、アルミニウム等の非磁性材料からなり、断熱層５２２は、耐熱性および断熱性の高い、例えば、シリコーンゴムやフッ素ゴム等の発泡弾性体などの材料からなる。
【００２７】
加圧ローラー５３は、長尺で円柱状の芯金５３１の周囲に、弾性層５３２と離型層５３３とがこの順に積層されている。芯金５２１は、例えばアルミニウム等、弾性層５３２は、例えばシリコーンゴム、離型層５３３は、例えばＰＦＡ等のフッ素系樹脂からなる。
ここでは、定着ローラー５２および加圧ローラー５３の長さを、定着ベルト５１の幅寸法とほぼ同程度にしている。
【００２８】
（磁束発生部）
磁束発生部５８は、励磁コイル８０と、メイン消磁コイルユニット８１と、サブ消磁コイルユニット８２と、コイルボビン８３と、メインコア８４と、裾コア８５とを有する。
コイルボビン８３は、励磁コイル８０、各消磁コイルユニット８１，８２、および各コア８４，８５を保持するものであり、定着ベルト５１の外周面の幅方向に沿って配されている。
【００２９】
コイルボビン８３の定着ベルト５１の外周面に対向する部分の横断面の形状は、定着ベルト５１の外周面に沿うように円弧状に湾曲している。コイルボビン８３は、当該円弧状の面と定着ベルト５１との隙間が、所定の間隔、例えば１．５ｍｍ程度となるように不図示のフレームに固定されている。
メインコア８４および裾コア８５は、高磁性率かつ低損失の磁性体、例えばフェライトやパーマロイのような合金からなる。
【００３０】
メインコア８４は、励磁コイル８０の外面を覆うようにして台形状に屈曲した部材からなり、その両端が裾コア８５に取り付けられている。このメインコア８４が、図示していないが、定着ベルト５１の幅方向に所定間隔をおいて複数配置されている。
裾コア８５は、定着ベルト５１の幅方向に平行に伸びる長尺状に形成され、コイルボビン８３に例えばシリコーン系接着剤などで固着されている。
【００３１】
このようにメインコア８４および裾コア８５を設けることにより、励磁コイル８０で発生した磁束が、定着ベルト５１側とは反対側から漏れないようにして、定着ベルト５１を効率的に誘導加熱できるようにしている。
図４は、励磁コイル８０、メイン消磁コイルユニット８１およびサブ消磁コイルユニット８２などの位置関係を示す外観斜視図である。
【００３２】
同図に示すように、励磁コイル８０は、リッツ線を定着ベルト５１の周面に沿って回転中心の仮想軸Ｊ（以下、「回転軸Ｊ」という。なお、以下では、各コイルについて当該回転軸Ｊに沿った方向を単に「長手方向」という。）方向に巻回してなる。励磁コイル８０上の長手方向両端部の非通紙領域には、それぞれ、メイン消磁コイルユニット８１およびサブ消磁コイルユニット８２が積み重ねられている。
【００３３】
励磁コイル８０の長手方向の長さは、記録シートＰの最大通紙幅（本実施の形態ではＡ３サイズの記録シートをその長辺がシート搬送方向と平行になるように搬送するとき（Ａ３縦通し）のシート幅。）よりも大きい寸法に設定されている。励磁コイル８０は、高周波電力の供給を受けて、定着ベルト５１の金属発熱層５１１を発熱させたるめの交番磁束を発生させる。
【００３４】
図２に戻って、励磁コイル８０は、コイルボビン８３の断面が円弧状に湾曲した面に沿うようにして形成され、例えば耐熱性接着剤などでコイルボビン８３に固着されている。これにより、その横断面形状が、定着ベルト５１の周方向に沿う形状となっている。
なお、この図２は、図４の仮想面Ｖで切断したときのＹ´方向から見た励磁コイル８０などの断面図が示されている。
【００３５】
また、図５は、図４の励磁コイル８０、メイン消磁コイルユニット８１およびサブ消磁コイルユニット８２の各消磁コイルの、回転軸Ｊに沿った方向における位置関係を示す図であり、便宜上、メイン消磁コイルユニット８１およびサブ消磁コイルユニット８２は平行配置して示している（図７も同様）。
同図に示すように、メイン消磁コイルユニット８１は、サイズの異なる３つの第１〜第３消磁コイル８１１〜８１３からなり、最も小さい第３消磁コイル８１３の周りを第２消磁コイル８１２が取り囲み（囲繞する）、さらにその周りを、最も大きい第１消磁コイル８１１が取り囲むように構成されている。
【００３６】
第３消磁コイル８１３は、第２消磁コイル８１２のループ内Ｌ１２において、また、第２消磁コイル８１２は第１消磁コイル８１１のループ内Ｌ１１において、それぞれ定着ベルト５１の回転軸Ｊ方向の外側に詰めるようにして配設されている。
第１〜第３消磁コイル８１１〜８１３のそれぞれは、リッツ線を励磁コイル８０の上面に沿うようにして巻回されており、各コイル面（面状のコイルの巻回の基準となる面）が同一で、ほぼ同じ厚みになるように形成されている。
【００３７】
各第１〜第３消磁コイル８１１〜８１３は、それぞれリッツ線の両端部を電気的に接続して閉ループを形成したとき、励磁コイル８０で発生した磁束のうち、主にループ内Ｌ１１〜Ｌ１３を通過する磁束を打ち消す方向の磁束を発生させ消磁する。よって、ループ内Ｌ１１〜Ｌ１３の各領域を消磁領域ということができ、以下、「消磁領域Ｌ１１」、「消磁領域Ｌ１２」、「消磁領域Ｌ１３」という。
【００３８】
第１消磁コイル８１１の消磁領域Ｌ１１の長手方向の長さは、シート幅Ｗ２の記録シート（例えばＡ５縦通し）を通紙したときの定着ベルト５１の非通紙領域の回転軸Ｊに沿った方向の長さに対応する（以下、単に、「消磁領域Ｌ１１は、シート幅Ｗ２の非通紙領域に対応する。」という。他も同様。なお、ここで「シート幅」とは、記録シートの、通紙方向と直交する方向の幅を意味する。また、以下、励磁コイル８０の定着ベルト５１の非通紙領域に対応する領域を、単に「励磁コイル８０の非通紙領域」という。）。
【００３９】
第２消磁コイル８１２の消磁領域Ｌ１２は、シート幅Ｗ４（例えばＡ４縦通し）の非通紙領域に対応する。第３消磁コイル８１３の消磁領域Ｌ１３は、シート幅Ｗ６（例えばＡ３縦通し）の非通紙領域に対応する。
また、サブ消磁コイルユニット８２の、基本的な構成は、メイン消磁コイルユニット８１と同様であり、長手方向に異なるサイズの第１〜第３消磁コイル８２１〜８２３を、コイル面を共通にし、かつ、サイズの小さい消磁コイルが、それよりサイズの大きな消磁コイルに囲繞されるようにして形成されている。
【００４０】
サブ消磁コイルユニット８２の第１〜第３消磁コイル８２１〜８２３と、メイン消磁コイルユニット８１の第１〜第３消磁コイル８１１〜８１３とは、長手方向のサイズが交互に小さくなっている。
そして、第１消磁コイル８２１の消磁領域Ｌ２１がシート幅Ｗ１（例えばＡ６縦通し）の非通紙領域に対応し、第２消磁コイル８２２の消磁領域Ｌ２２がシート幅Ｗ３（例えばＢ５縦通し）の非通紙領域に対応し、第３消磁コイル８２３の消磁領域Ｌ２３がシート幅Ｗ５（例えばＢ４縦通し）の非通紙領域に対応する。
【００４１】
メイン消磁コイルユニット８１、サブ消磁コイルユニット８２は、例えば耐熱性接着剤などで励磁コイル８０上、メイン消磁コイルユニット８１上にそれぞれ固着されている。
上記のような定着部５の構成によれば、メインおよびサブ消磁コイルユニット８１，８２のそれぞれが、３つの消磁コイルで構成されているので、上記した第１および第２の従来技術の定着装置の、定着部５と同数の６つの消磁コイルで構成したものと比較した場合に、装置の大型化を抑制することができる。具体的には、第１の従来技術の定着装置では、６つの消磁コイルが単に積み重ねられ、６段もの高さになるのに対して、定着部５では消磁コイルを重ねる段数（消磁コイルユニットの段数）が２段と大幅に少なくて済む。また、第２の従来技術の定着装置の場合では、１つの消磁コイルユニットを、６つの消磁コイルを順に囲繞するようにして形成するのに対して、定着部５では、３つの消磁コイルを順に囲繞するだけなので、定着ベルトの周方向の幅をとらない。
【００４２】
また、定着部５では、第１の従来技術の定着装置における最上段（６段目）の消磁コイルのように、励磁コイルから極端に離れる消磁コイルがないので、各消磁コイルにおいて、一定の消磁効率を確保でき、従来よりも非通紙領域における過昇温を抑制することができる。
（温度センサー）
温度センサー５４は、例えば非接触型サーミスターからなり、定着ベルト５１の幅方向の中央付近に配されている。この温度センサー５４は、定着ベルト５１の通紙領域の表面温度を検出して、制御部６０に出力する。制御部６０は、温度センサー５４の検出結果に基づき、定着ベルト５１の通紙領域が所定の定着温度（例えば１８０℃）になるように、励磁コイル８０への電力供給を制御する。
【００４３】
温度センサー５５は、例えば赤外線検知型のサーモパイルアレイからなり、定着ベルト５１の幅方向の一方の端部に配されている。この温度センサー５５は、複数個所、ここでは、図５に示す位置Ｘ１〜Ｘ５の温度検出が可能なように設計されており、検出結果を制御部６０に出力する。
位置Ｘ１〜Ｘ５は、それぞれシート幅Ｗ１〜Ｗ５の記録シートＰを通紙したとのき定着ベルト５１の非通紙領域内であって、通紙領域近傍の位置となっている。制御部６０は、温度センサー５５の検出結果に基づき、定着ベルト５１の非通紙領域が過昇温とならないように、メイン消磁コイルユニット８１およびサブ消磁コイルユニット８２の動作を制御する。詳細については後述する。
【００４４】
なお、温度センサー５４，５５は、それぞれ不図示のフレームにより定着ベルト表面から所定距離だけ離れた位置に保持されている。
＜励磁回路および消磁回路＞
図６は、励磁コイルを駆動する励磁回路９０、および各消磁コイルを動作させる消磁回路９１〜９６の構成例を示す図である。
【００４５】
同図に示すように、励磁回路９０は、励磁コイル８０、高周波電源９９および切替えリレー１００を直列接続して形成されている。高周波電源９９は、励磁コイル８０に供給する高周波電力（例えば１０〜１００ｋＨｚ、１００〜２０００Ｗ）を出力する。切替えリレー１００は、公知のリレースイッチからなり、制御部６０の制御を受けて電力供給をオン・オフする。
【００４６】
消磁回路９１〜９３は、各メイン消磁コイルユニット８１の第１〜第３消磁コイル８１１〜８１３を動作させる回路であり、消磁回路９４〜９６は、各サブ消磁コイルユニット８２の第１〜第３消磁コイル８２１〜８２３を動作させる回路である。
消磁回路９１は、第１消磁コイル８１１・８１１および切替えリレー１０１を直列接続して形成されている。切替えリレー１０１は、制御部６０の制御を受けて、第１消磁コイル８１１・８１１の動作をオン・オフする。切替えリレー１０１をオンにして消磁回路９１を閉じることにより、第１消磁コイル８１１・８１１に、励磁コイル８０により発生された交番磁界の磁束を打ち消す方向に磁界が発生する。逆に、切替えリレー１０１をオフして消磁回路９１を開くことにより、第１消磁コイル８１１・８１１は動作せず、励磁コイル８０の交番磁界に対する消磁効果は生じない。
【００４７】
同様に、消磁回路９２は、第２消磁コイル８１２・８１２および切替えリレー１０２で構成され、消磁回路９３は、第３消磁コイル８１３・８１３および切替えリレー１０３で構成されている。また、消磁回路９４は、第１消磁コイル８２１・８２１および切替えリレー１０４で構成され、消磁回路９５は、第２消磁コイル８２２・８２２および切替えリレー１０５で構成され、消磁回路９６は、第３消磁コイル８２３・８２３および切替えリレー１０６で構成されている。
【００４８】
制御部６０は、温度センサー５４の検出結果に基づいて、定着ベルト５１の通紙領域の温度が定着温度となるように、切替えリレー１００に制御信号を送信し、励磁コイル８０の駆動を制御する。また、制御部６０は、外部の端末から印刷ジョブを受け付けると、当該印刷ジョブのヘッダー情報に含まれているユーザー指定のシートサイズに関する情報を抽出して、その情報に基づき、画像形成時に当該サイズの記録シートＰを給紙させると共に切替えリレー１０１〜１０６に駆動信号を送信し、各消磁コイル８１１〜８１３，８２１〜８２３の動作を制御する。
【００４９】
ここで、給紙カセット４１の記録シートＰが指定サイズでない場合には、制御部６０が、印刷ジョブを発信した外部の端末にエラー情報を返す。そして、給紙カセット４１に指定サイズの記録シートＰがセットされると、制御部６０は、記録シートＰを給紙し、切替えリレー１０１〜１０６に駆動信号を送信して各消磁コイル８１１〜８１３，８２１〜８２３の動作を制御する。給紙カセット４１に収納されている記録シートＰのサイズは、公知のサイズ検出センサーで検出することにより、もしくは記録シートＰを給紙カセットにセットする際にユーザーが操作パネルから入力することにより得られる。
＜消磁コイルの動作制御＞
図７（ａ）〜（ｄ）は、各消磁コイルの動作の制御例を説明するための図であり、図８は、通紙されるシート幅と動作させる消磁コイルとの関係を示すテーブルである。
【００５０】
なお、図７（ａ）〜（ｄ）では、分かり易くするため、サブ消磁コイルユニット８２を、メイン消磁コイルユニット８１の位置よりも副走査方向（記録シート搬送方向）にずらして両消磁コイルユニットが重ならないように図示すると共に、定着動作中、常時動作している消磁コイルについては黒く塗りつぶして示している。
図７（ａ）は、通紙される記録シートの非通紙領域と長手方向の消磁領域が同じ消磁コイルがメイン消磁コイルユニット８１側にある場合の制御例である。
【００５１】
例えばシート幅Ｗ４の記録シートＰが通紙される場合、制御部６０は、消磁領域の長手方向におけるサイズが、シート幅Ｗ４の非通紙領域の長手方向の長さに対応しているメイン消磁コイルユニット８１の第２消磁コイル８１２のみ動作をオンにさせる（以下、特定の消磁コイルの消磁領域と、非通紙領域のサイズの比較は、全て長手方向（回転軸Ｊに沿った方向）における長さの比較を意味するものとする。）。
【００５２】
なお、このように非通紙領域に消磁領域が対応するものとして一義的に決定される消磁コイルを、以下「特定コイル」という（本例の適用例として、図８のテーブルのシート幅がＷ２、Ｗ４，Ｗ６の欄参照）。
図７（ｂ）は、特定コイルが、サブ消磁コイルユニット８２側にある場合の制御例である。
【００５３】
例えば、シート幅Ｗ３の記録シートＰが通紙される場合には、制御部６０は、シート幅Ｗ３の非通紙領域に対応するサブ消磁コイルユニット８２の第２消磁コイル８２２を特定コイルとして動作をオンにすると共に、メイン消磁コイルユニット８１の中の、サブ消磁コイルユニット８２の第２消磁コイル８２２よりもサイズが小さい消磁コイルのうち、一番大きなサイズの第２消磁コイル８１２の動作をオンにする。
【００５４】
このように特定コイルが、サブ消磁コイルユニット８２の消磁コイルである場合には、メイン消磁コイルユニット８１の消磁コイルであって、当該特定コイルよりもサイズが小さくて、特定コイルに一番サイズの近い消磁コイルの動作も常時オンにさせる。
サブ消磁コイルユニット８２は、メイン消磁コイルユニット８１を介して励磁コイル８０上に重ねられ、メイン消磁コイルユニット８１よりも励磁コイル８０から少し離れているので、その分だけ消磁効率が低くなる。そのため、サブ消磁コイルユニット８２の特定コイルだけを動作させた状態で大量に連続印刷したときには、定着ベルト５１の非通紙領域の過昇温を十分に抑制できない場合もあり得る。そこで、メイン消磁コイルユニット８１の消磁コイルのうち、上記特定コイルよりもサイズ小さく、かつ当該特定コイルに一番近いサイズの消磁コイルを一緒に動作させることにより、消磁効果の劣化を補完するようにしているのである。
【００５５】
このようにサブ消磁コイルユニット８２の特定コイルの消磁効果を補完するために選択されたメイン消磁コイルユニット８１の消磁コイルを、以下、「補完コイル」という。
上述のように、メイン消磁コイルユニット８１とサブ消磁コイルユニット８２は、その長手方向のサイズが交互に小さくなるように消磁コイルの組み合わせが決定されているので、上記のようにして選択された補完コイルの長手方向のサイズは、メイン消磁コイルユニット８１にサブ消磁コイルユニット８２も合わせた全ての消磁コイルの中で、一番特定コイルに近く、よって、最も大きな補完効果が得られる（本例の適用例として、図８のテーブルのシート幅がＷ１、Ｗ３、Ｗ５の欄参照。）。
【００５６】
また、図７（ｃ）、（ｄ）は、通紙する記録シートの非通紙領域と消磁領域が一致する消磁コイルが、メインおよびサブ消磁コイルユニット８１，８２のどちらにも含まれていない場合の制御例を示すものである。
この場合には、まず、当該非通紙領域よりサイズが小さい消磁領域を有する消磁コイルの内で、一番サイズの大きな消磁コイルを特定コイルとする。
【００５７】
ところが、非通紙領域のうち特定コイルの消磁領域から外れた部分（各非通紙領域の一番通紙領域寄りの部分。以下、「非消磁領域」という。）が、連続通紙枚数の増大と共に徐々に昇温していくので、非通紙領域よりも消磁領域のサイズが大きい消磁コイルのうち一番小さなサイズの消磁コイル（以下、「補助コイル」という。）の動作を、非消磁領域の温度をモニターしながら適宜オン／オフ制御して、非消磁領域の温度が必要以上に上昇しないように抑制している。なお、図７（ｃ），（ｄ）では、この適宜オン・オフする補助コイルにハッチングを付して示している。
【００５８】
図７（ｃ）は、上記特定コイルがメイン消磁コイルユニット８１側にある場合の制御例を示すものである。
例えば、シート幅がＷ３超、Ｗ４未満（例として往復はがき横通し）の記録シートＰが通紙される場合には、その際の非通紙領域と消磁領域が完全に一致する消磁コイルが存在しないので、制御部６０は、消磁領域が、シート幅Ｗ４の非通紙領域に含まれる消磁コイルのうち一番大きなメイン消磁コイルユニット８１の第２消磁コイル８１２を特定コイルに設定すると共に、サブ消磁コイルユニット８２の第２消磁コイル８２２を補助コイルと選定する。
【００５９】
そして、定着ベルト５１の非消磁領域の温度（ここでは、図５における検出位置Ｘ３の温度）をチェックしながら、補助コイルである第２消磁コイル８２２を適宜オン・オフ制御する。
このように、印刷ジョブ実行中（定着動作中）は、特定コイルを常にオンの状態にし（以下、「基本制御」という。）、補助コイルは、対応する非消磁領域の温度に基づき適宜オン・オフ制御（以下、「補助制御」という。）することにより、特定のシート幅の非通紙領域と一致する消磁領域を有する消磁コイルが存在しない場合であっても、定着ベルト５１の非通紙領域の過昇温を的確に抑制することができる（本例の適用例として、図８のテーブルのシート幅が、Ｗ１超・Ｗ２未満、Ｗ３超・Ｗ４未満、Ｗ５超・Ｗ４未満の欄参照。）。
【００６０】
図７（ｄ）は、特定コイルが、サブ消磁コイルユニット８２側の消磁コイルである場合の制御例を示す。
同図に示すように、例えば、シート幅がＷ２超、Ｗ３未満の記録シートＰが通紙される場合には、制御部６０は、シート幅Ｗ３の非通紙領域に対応するサブ消磁コイルユニット８２の第２消磁コイル８２２を特定コイルとして動作オンにすると共に、補助コイルとして、メイン消磁コイルユニット８１の第１消磁コイル８１１を選定する。
【００６１】
本例の場合には、特定コイルがサブ消磁コイルユニット８２側の消磁コイルなので、図７（ｂ）で示す制御例と同様の理由により、消磁効果を補完する補完コイルとしてメイン消磁コイルユニット８１の第２消磁コイル８１２を選定して、これも特定コイルに合わせて動作オンにする。
そして、定着ベルト５１の非消磁領域の温度（本例の場合、図５における検出位置Ｘ２の温度）をチェックしながら、補助コイルである第１消磁コイル８１１を適宜オン・オフ制御する（本例の適用例として、図８のテーブルのシート幅が、Ｗ２超・Ｗ３未満、Ｗ４超・Ｗ５未満、Ｗ５超の欄参照。）。
【００６２】
このように非通紙領域に完全に対応する消磁領域を有する消磁コイルがない場合には、非通紙領域よりもサイズが少し大きい消磁領域を有する消磁コイルを補助コイルとして選定して、適宜オン・オフ制御することにより、ほぼ全てのサイズに対して、非通紙領域の過昇温を的確に抑制することができる。
もっとも、記録シートのシート幅がＷ１未満の場合には、本例ではその非通紙領域よりも大きな消磁領域を有する消磁コイルがないので、このような補助コイルを設けることができない（図８のシート幅がＷ１未満の欄参照）。
【００６３】
この場合、非消磁領域の温度が所定以上となったとき、操作パネルに（不図示）の表示部にユーザーへの警告を表示するか、もしくは、強制的に印刷ジョブの実行を停止するように制御すればよい。
また、そもそもシート幅がＷ１未満の記録シートの使用が不可能なように、例えば、給紙カセットにおける仕切板の移動範囲を制限したり、操作パネルから当該サイズの用紙設定ができないようにしてもよい。
【００６４】
図９は、制御部６０で実行される「消磁コイルの動作制御」の内容を示すフローチャートである。この消磁コイルの動作制御は、たとえば、画像形成ジョブ（印刷ジョブ）実行中（少なくとも、定着装置により定着動作を実行している間）、常時実施されるものであり、温度センサー５４の出力により定着ベルト５１の通紙領域を定着温度に維持するための励磁コイル８０の駆動制御と並行して行われる。
【００６５】
同図に示すように、制御部６０は、まず、印刷ジョブを受け付けると（ステップＳ１０１）、メイン消磁コイルユニット８１およびサブ消磁コイルユニット８２の全ての消磁コイルを一旦オフ状態にリセットし（ステップＳ１０２）、印刷ジョブのヘッダー情報からシートサイズ（シート幅）を取得する（ステップＳ１０３）。
取得したシート幅がＷ２，Ｗ４，Ｗ６の何れかの場合には（ステップＳ１０４：Ｙｅｓ）、図８のテーブルに基づき、メイン消磁コイルユニット８１の、取得したシート幅の非通紙領域に対応する（すなわち、非通紙領域のサイズと消磁領域が一致する）消磁コイルを特定コイルとしてオンにする（ステップＳ１０５）。
【００６６】
そして、印刷ジョブが終了するまで（ステップＳ１０６：Ｎｏ）、当該特定コイルの動作をオンの状態で維持する。
取得したシート幅がＷ１，Ｗ３，Ｗ５の何れかの場合には（ステップＳ１０４：Ｎｏ、かつステップＳ１０７：Ｙｅｓ）、図８のテーブルに基づき、サブ消磁コイルユニット８２のうち、各シート幅における対応消磁コイルの動作をオンにする（ステップＳ１０８）。
【００６７】
この場合、サブ消磁コイルユニット８２の特定コイルに加え、メイン消磁コイルユニット８１の中で、特定コイルよりもサイズが小さくて、当該特定コイルのサイズに最も近い消磁コイルを補完コイルとして動作オンにする（ステップＳ１０９）。
そして、印刷ジョブが終了するまで（ステップＳ１０６：Ｎｏ）、ステップＳ１０８，Ｓ１０９でオンにした各消磁コイルの動作を維持する。
【００６８】
取得したシート幅がＷ１〜Ｗ６の何れでもない場合には（ステップＳ１０４：Ｎｏ、かつステップＳ１０７：Ｎｏ）、制御部６０は、その非通紙領域に一致する消磁領域を有する消磁コイルが存在しないので、非対応のシート幅のときの基本制御を行う（ステップＳ１１０）。
図１０は、非対応のシート幅のときの基本制御のサブルーチンを示している。
【００６９】
同図に示すように、制御部６０は、図８のテーブルを参照し、メイン消磁コイルユニット８１およびサブ消磁コイルユニット８２全体の中から、その消磁領域が、取得したシート幅の非通紙領域よりも小さくて、当該非通紙領域に最も近い消磁コイルを特定コイルとしてオンにする（ステップＳ２０１）。
ステップＳ２０１において、メイン消磁コイルユニット８１の消磁コイルが特定コイルとして選定されていなければ（ステップＳ２０２：Ｎｏ）、図８のテーブルを参照し、メイン消磁コイルユニット８１の中で、特定コイルよりもサイズが小さくて、当該特定コイルのサイズに最も近い消磁コイルを補完コイルとして選定し動作オンにする（ステップＳ２０３）。
【００７０】
メイン消磁コイルユニット８１の消磁コイルが、特定コイルとして選定されていれば（ステップＳ２０２：Ｙｅｓ）、ステップＳ２０３をスキップする。
以上で、非対応のシート幅のときの基本制御を終了し、図９のフローチャートにリターンする。
図９のステップＳ１１０の非対応のシート幅のときの基本制御の後、制御部６０は、取得したシート幅がＷ１を超えている場合には（ステップＳ１１１：Ｙｅｓ）、非対応のシート幅のときの補助制御を行う（ステップＳ１１２）。
【００７１】
取得したシート幅がＷ１未満の場合には（ステップＳ１１１：Ｎｏ）、上述のように補助コイルとして選定すべき消磁コイルがないので、ステップＳ１０６に進み、印刷ジョブが終了するまでステップＳ１１０での各消磁コイルの動作を維持する。
この際、非消磁領域の検出温度に基づき、強制的に印刷ジョブを停止させたり、そもそも印刷ジョブの開始を禁止するようにしてもよいのは、上述の通りである。
【００７２】
図１１は、図９のステップＳ１１２の非対応のシート幅のときの補助制御のサブルーチンを示している。
まず、ステップＳ３０１において、制御部６０は、メイン消磁コイルユニット８１およびサブ消磁コイルユニット８２全体の中から、ステップＳ１１０で選定された特定コイルよりもサイズが大きい消磁コイルのうち、その消磁領域が最も非通紙領域のサイズに近い消磁コイルを補助コイルとして選定する。
【００７３】
そして、温度センサー５５の検出値の内、当該特定コイルと補助コイルの組み合わせで、非消磁領域となる検出位置の表面温度を取得し（ステップＳ３０２）、その温度が第１の温度以上となった場合に（ステップＳ３０３：ＹＥＳ）、補助コイルの動作をオンにする（ステップＳ３０４）。
図８によれば、シート幅が特定されれば、特定コイルと補助コイルも特定され、その非消磁領域も特定されるので、例えば、シート幅と、そのときの非消磁領域に対応する温度センサー５５の検出値のうち参照すべき検出位置（Ｘ１〜Ｘ５）を対応付けるテーブルを予め作成して、制御部６０内のＲＯＭ等の不揮発性メモリに格納しておけば、ステップＳ３０２の非消磁領域となる表面温度の取得が円滑に行える。
【００７４】
もっとも、非通紙領域において非消磁領域の温度が最も上昇するはずであるから、温度検出位置Ｘ１〜Ｘ５の内、最も高い温度が非消磁領域の表面温度と特定することも可能である。
また、ここでの「第１の温度」は、定着温度（例えば１８０℃）よりも高く、定着ベルトの耐熱温度よりも所定温度だけ低い温度に設定される。当該所定温度は、安全率を考慮して０℃〜６０℃程度が望ましい。本実施の形態では、第１の温度は、例えば２２０℃に設定されている。
【００７５】
その後、補助コイルの消磁作用により、非消磁領域の表面温度が低下してきて、第２の温度以下になると（ステップＳ３０５：ＹＥＳ）、補助コイルの動作をオフにする（ステップＳ３０６）。
この第２の温度は、上記第１の温度よりも低く、定着温度よりも高い温度が設定されるが、補助コイルの消磁領域は、通紙領域の端部にも一部重なっているので、第２の温度をあまり低く設定すると、通紙端部の温度が定着温度より低くなり定着不良となるおそれがある。したがって、そのような状態に到らない温度が、予め実験により求められて制御部６０内のＲＯＭに格納されている。本実施の形態では、第２の温度は、およそ２１０℃程度に設定されている。
【００７６】
なお、ステップＳ３０３において、非消磁領域の表面温度が第１の温度以上でない場合に（ステップＳ３０３：ＮＯ）、既に補助コイルの動作がオンになっているときには（ステップＳ３０８：ＹＥＳ）、ステップＳ３０５に進む（ステップＳ３０４をスキップする）。一方、補助コイルの動作がオンになっていないときには（ステップＳ３０８：ＮＯ）、ステップＳ３０７に進む（ステップＳ３０４〜ステップＳ３０６をスキップする）。
また、ステップＳ３０５で非消磁領域の表面温度が第２の温度以下になっていない場合には（ステップＳ３０５：ＮＯ）、ステップＳ３０６をスキップして補助コイルの動作オフにしない。
【００７７】
以上の制御を印刷ジョブが終了するまで繰り返し（ステップＳ３０７：ＮＯ、ステップＳ３０２〜Ｓ３０６）、印刷ジョブが終了すると（ステップＳ３０７：ＹＥＳ）、本フローチャートを終了して図９のフローチャートにリターンする。
そして、図９のステップＳ１１３で他の印刷ジョブの有無を判定し、もし、あれば（ステップＳ１１３：ＹＥＳ）、ステップＳ１０２に戻り、上記処理を繰り返すが、もし、他の印刷ジョブがなければ（ステップＳ１１３：ＮＯ）、消磁コイルの動作制御を終了する。
【００７８】
以上、上記実施の形態に係る定着装置によれば、メイン消磁コイルユニット８１、サブ消磁コイルユニット８２を２段に重ねることにより、消磁コイルの増加による装置の大型化を可及的に回避しつつ、上記消磁コイルの動作制御の実行により、極めて多数のシート幅に対応した消磁効果を得ることができ、非通紙領域の過昇温を的確に抑制することができる。
［変形例］
以上、本発明を実施の形態に基づいて説明してきたが、本発明が上述の実施の形態に限定されないのは勿論であり、以下のような変形例を実施することができる。
（１）消磁コイルユニットおよび消磁コイルの数、サイズ、配置等の構成は、上記実施の形態に限定されるものではなく、定着ベルトや定着部の仕様に応じて、適宜選択することができる。
【００７９】
例えば、上記実施の形態では、メイン消磁コイルユニット８１の消磁コイル数と、サブ消磁コイルユニット８２の消磁コイル数が同じ３つの構成を示したが、消磁コイル数が異なっていても構わない。
また、メイン消磁コイルユニット８１とサブ消磁コイルユニット８２の全ての消磁コイルのサイズが異なる構成を示したが、場合によっては、同じサイズの消磁コイルが含まれていても構わない。各消磁コイルユニットにおいて、消磁コイルのサイズを１つでも異ならせて、サイズの組み合せが異なる構成になっていれば、他の消磁コイルユニットにおいて対応できていない記録シートのサイズに対応することができるし、また、同じサイズの消磁コイルは、他の消磁コイルユニットの同サイズの消磁コイルと同時に動作させることにより、消磁効率をより高めることができるという利点があるからである。
【００８０】
また、メイン消磁コイルユニット８１とサブ消磁コイルユニット８２とを重ねた２段の構成に限らず、さらに消磁コイルユニットを重ねて３段以上としても構わない。
この場合、通紙される記録シートの幅に対応する消磁コイルが、３段目以上の消磁コイルユニットに含まれるものである場合には、当該対応する消磁コイルをオンにすると共に、それよりも下層の消磁コイルユニットの中の、前記の対応する消磁コイルよりもサイズが小さい消磁コイルのうち、一番大きなサイズの消磁コイルを補完コイルとしてオンにするのが望ましい。より望ましくは、励磁コイルに最も近接する１段目の消磁コイルユニットの中の、前記の対応する消磁コイルよりもサイズが小さい消磁コイルのうち、一番大きなサイズの消磁コイルをオンにすることである。より消磁効率を高めることができるからである。
【００８１】
（２）上記実施の形態では、励磁コイル８０の定着ベルト５１とは反対側に、メイン消磁コイルユニット８１とサブ消磁コイルユニット８２を重ねた構成を示したが、これに限定するものではなく、重ねたメイン消磁コイルユニット８１とサブ消磁コイルユニット８２を、励磁コイル８０と定着ベルト５１との間に配した構成としても構わない。
（３）上記実施の形態では、定着ベルト５１の通紙領域の表面温度を検出する温度センサー５４が非接触型サーミスター、定着ベルト５１の非通紙領域の表面温度を検出する温度センサー５５が赤外線検知型のサーモパイルアレイからなる構成を示したが、これに限定するものではない。
【００８２】
例えば、通紙領域の表面温度を検出する温度センサーとして、赤外線検知型のサーモパイル、サーモパイルアレイ等を用いることができる。サーモパイルアレイは、視野角が広く、複数個所の温度測定が可能なので、通紙領域の複数個所の温度を検出するようにすれば、定着ベルト５１の表面温度制御をより精度よく行うことができ、有用である。
また、非通紙領域の表面温度を検出する温度センサーとして、非接触型サーミスター、赤外線検知型のサーモパイル等を用いることができる。もっとも、この場合、上記実施の形態で示したように、非通紙領域の複数個所の温度を検出するには、温度センサーを複数配設するか、可動式にする必要がある。
【００８３】
（４）もっとも、非通紙領域における温度センサーが１個の場合で非通紙領域の特定の１箇所の表面温度（以下、「端部温度」という。）を検出する場合でも、上記非消磁領域の温度を推定することが可能である。
すなわち、通紙領域の温度と端部温度とシート幅が分かれば、定着ベルト５１における回転軸Ｊに沿った方向における温度分布（温度分布曲線）を特定することが可能であり、その特定した温度分布により、非通紙領域の他の位置における温度を推定することができる。
【００８４】
図１２は、通紙する記録シートが普通紙で、そのシート幅が図８におけるＢ６縦通しの場合において、定着ベルト５１の端部のＸｐの位置における温度が、約１９９℃であり、通紙領域の温度が定着温度１８０℃に保たれている場合の温度分布曲線の一例を示すものである（補助コイルはオフの状態）。
同図によれば、特定コイルの存する範囲は、その消磁効果により温度上昇が抑えられているが、隣接する非消磁領域では温度が上昇している。
【００８５】
そして、この非消磁領域の温度が高くなればなるほど、熱伝導によりそれにつられてその周辺の温度も上昇するので、端部温度も高くなる。逆に言えば、シート幅ごとに、目的とする非消磁領域が第１の温度（２２０℃）に達したときの温度分布曲線を予め求めて、そのときの検出位置Ｘｐにおける端部温度を制御部６０のＲＯＭ内にシート幅に対応させて格納しておけば、端部温度とシート幅のみで、非消磁領域が第１の温度に達したか否かを推定することができる。
【００８６】
また、特定コイルと補助コイルを動作させて、そのときの目的とする非消磁領域の温度が、第２の温度まで降下したときの、位置Ｘｐにおける端部温度も同様にしてＲＯＭ内に格納しておけばよい。
このようにすれば、非通紙領域における温度センサーとして、検出箇所が１箇所だけの安価なものを１個使用するだけで制御できるので、コスト的なメリットが大きい。
【００８７】
なお、上記の温度分布曲線は、できれば記録シートの紙種ごとに求めて方が望ましい。
普通紙、厚紙、薄紙、ＯＨＰ用紙、光沢紙などの紙の厚さや表面処理の違いによって、定着ベルトの通紙領域における記録シートにより奪われる熱量が異なることから、非通紙領域に対する熱影響が変わってくるからである。
記録シートの紙種情報は、印刷ジョブのヘッダー情報に含まれているユーザー指定のシートに関する情報を抽出することにより得られる、もしくは、給紙カセットに記録シートＰをセットする際にユーザーが操作パネルから紙種情報入力することにより得ることができるので、制御部６０はそれらからシート幅と紙種に関する情報を取得して、予め設定した温度分布曲線もしくは、端部温度の閾値に基づき、非消磁領域の温度を推定して、補助コイルのオン・オフ制御を実行することができる。
【００８８】
（５）上記実施の形態では、金属発熱層５１１、弾性層５１２、離型層５１３がこの順で積層されてなる定着ベルト５１の構成を示したが、これに限定するものではなく、定着部の仕様に応じて、その構成を適宜選択することができる。
（６）上記実施の形態では、定着回転体として、金属発熱層５１１を有する定着ベルト５１を用いて、その内側に定着ローラー５２を遊嵌した構成を示したが、これに限定するものではない。例えば、定着ベルト５１の内側に定着ローラー５２を締り嵌めした構成とすることもできる。また、ローラー本体に変えて、加圧ローラー５３からの押圧力を受け止める長尺の押圧部材を定着ベルトの内側に配するようにしても良い。
【００８９】
（７）上記実施の形態では、定着ベルト５１との間に定着ニップ部Ｎを形成する加圧部材として、加圧ローラー５３を用いた構成を示したが、これに限定するものではない。例えば、加圧ローラー５３に代えて、長尺状のパッド部材を用いて、定着ベルト５１を介して押圧ローラー５２を押圧する構成としても構わない。
（８）上記実施の形態において、メインコア８４および裾コア８５が、励磁コイル８０や定着ベルト５１と共に磁気回路を形成する構成を示したが、さらに励磁コア８０のループ内の長手方向両端部にコア部材（端部コア）を配置しても構わない。
【００９０】
定着ベルト５１の回転軸方向両端部は、十分に励磁コイルの交番磁界が行き届きにくく、また、側方から外部に放熱しやすい場所でもあるので、上記端部コアを配置して、両端部における磁束密度を高めることにより、最大サイズの記録シートを通紙した場合における幅方向両端部の定着不良を防止することができる。
（９）上記実施の形態において、給紙カセットが１つ設けられた構成を示したが、これに限定するものではなく、給紙カセットが複数設けられた構成でも構わない。
【００９１】
（１０）上記実施の形態では、図９の消磁コイルの動作制御の内容を示すフローチャートにおいて、１つの印刷ジョブ内で記録シートの幅が変わらない前提で説明したが、これに限定するものではない。上記（９）のように給紙カセットが複数あるような場合であって、１つの印刷ジョブ内において、異なるシート幅の記録シートを印刷する場合には、記録シートを一枚印刷する毎に、図９に示すステップＳ１０３に戻って、シートサイズ（シート幅）を取得し、以降のステップＳ１０４〜Ｓ１１２を繰り返すように構成すればよい。
【００９２】
（１１）上記実施の形態では、画像形成装置として、タンデム型カラープリンターを用いて説明したが、本発明の適用範囲は、これに限らず、電磁誘導式の定着部を有する複写機、ファクシミリ装置、プリンターなどに適用することができる。
また、上記実施の形態及び変形例の内容は、可能な限り組み合わせても構わない。
【産業上の利用可能性】
【００９３】
本発明は、電磁誘導式の定着装置における非通紙領域の過昇温を防止する技術として好適である。
【符号の説明】
【００９４】
１    プリンター
３    画像プロセス部
４    給紙部
５    定着部
１０    光学部
１１    中間転写ベルト
３１    感光体ドラム
３２    帯電器
３３    現像器
５１    定着ベルト
５２    定着ローラー
５３    加圧ローラー
５４，５５  温度センサー
５８    磁束発生部
６０    制御部
８０    励磁コイル
８１    メイン消磁コイルユニット
８２    サブ消磁コイルユニット
９０    励磁回路
９１〜９６  消磁回路
５１１    金属発熱層
５１２    弾性層
５１３    離型層
８１１    第１消磁コイル（メイン消磁コイルユニット）
８１２    第２消磁コイル（メイン消磁コイルユニット）
８１３    第３消磁コイル（メイン消磁コイルユニット）
８２１    第１消磁コイル（サブ消磁コイルユニット）
８２２    第２消磁コイル（サブ消磁コイルユニット）
８２３    第３消磁コイル（サブ消磁コイルユニット）
Ｗ１〜Ｗ６    シート幅
Ｘ１〜Ｘ５    所定位置
【図１】
0005533848.tif 000002
【図２】
0005533848.tif 000003
【図３】
0005533848.tif 000004
【図４】
0005533848.tif 000005
【図５】
0005533848.tif 000006
【図６】
0005533848.tif 000007
【図７】
0005533848.tif 000008
【図８】
0005533848.tif 000009
【図９】
0005533848.tif 000010
【図１０】
0005533848.tif 000011
【図１１】
0005533848.tif 000012
【図１２】
0005533848.tif 000013